(57)【要約】  第１の端部（３）および第２の端部（４）を有する実質的にＣ字型のフレーム（２）と、少なくとも内部ゲート（５）と、外部ゲート（６）とを備える、カラビナ（１）が提供される。フレーム（２）の内部ゲート（５）および外部ゲート（６）は、閉構成において連続的に囲まれた内方領域（８）を画定する。ゲート（５、６）はそれぞれ、第１の端部（３）および第２の端部（４）の一方の上に枢軸（５ｈ、６ｈ）を有する。これらのゲートは、１つは内方領域（８）に向かう第１の方向への、１つは第１の方向とは逆の第２の方向への、各枢軸（５ｈ、６ｈ）を中心とした回転との兼ね合いにより、フレーム（２）に対して開かれるように構成される。付勢手段（５ｂ、５ｃ、６ｂ、６ｃ）は、閉位置にゲートを付勢するために設けられる。好ましくは、内部ゲート（５）は、第１の端部（３）にてフレームに対して枢動自在に結合され、外部ゲート（６）は、第１の端部（３）の対向側の第２の端部（４）にてフレーム（２）に対して枢動自在に結合される。カラビナは、ゲートを開くのを容易化するためにユーザの指の少なくとも一部分を受けるために、間隙領域（９、２０９、２１０）を備える。
2015511298.tif 000002
【特許請求の範囲】
【請求項１】
内方領域（８，３９，２０１ｄ）を部分的に囲み、第１の端部（３，３３，２０１ａ）および第２の端部（４，３４，２０１ｂ）を有するフレーム（２，３２，２０１）と、
前記第１の端部にて前記フレームに対して枢動自在に結合される第１のゲート（５，３５，２０２）と、
前記第１の端部の対向側の前記第２の端部にて前記フレームに対して枢動自在に結合される少なくとも１つの第２のゲート（６，３６，２０３）と、を備え、
前記フレーム、前記第１のゲート、および前記第２のゲートは、閉構成において連続的に囲まれた内方領域（８，３９，２０１ｄ）を画定し、
前記ゲートは、１つは前記内方領域に向かう第１の方向に、および１つは前記第１の方向とは逆の第２の方向に、各枢軸（５ｈ，６ｈ，３５ｈ，３６ｈ，２０４）を中心として回転することにより、前記フレームに対して開かれるように構成され、付勢手段（５ｂ，５ｃ，６ｂ，６ｃ，３７，３８，２０６）が、閉位置に前記ゲートを付勢するために設けられるカラビナ（１，３１，２００）。
【請求項２】
前記ゲートを開くのを容易化するためにユーザの指の少なくとも一部分を受けるための少なくとも１つの間隙領域（９，２０９，２１０）を備える、請求項１に記載のカラビナ。
【請求項３】
前記間隙領域は、貫通領域（９）である、請求項２に記載のカラビナ。
【請求項４】
前記フレームは、腎臓形状である、請求項１から３のいずれか一項に記載のカラビナ。
【請求項５】
前記付勢手段（５ｂ，５ｃ，６ｂ，６ｃ，３７，３８，２０６）は、自動付勢機構である、請求項１から４のいずれか一項に記載のカラビナ。
【請求項６】
前記第１のゲート（５，３５）および／または前記第２のゲート（６，３６）は、ワイヤゲートまたは回転ゲートまたは回転ヒンジである、請求項１から５のいずれか一項に記載のカラビナ。
【請求項７】
前記第２のゲート（６）は、ワイヤゲートである、請求項１から６のいずれか一項に記載のカラビナ。
【請求項８】
前記付勢手段（５ｂ，５ｃ，６ｂ，６ｃ）は、前記ワイヤの一部分を備える、請求項４または５のいずれかに記載のカラビナ。
【請求項９】
前記付勢手段（５ｂ，５ｃ，６ｂ，６ｃ）は、曲げ手段を備える、請求項１から８のいずれか一項に記載のカラビナ。
【請求項１０】
前記ゲート（６）は、回転ヒンジゲートである、請求項１から９のいずれか一項に記載のカラビナ。
【請求項１１】
前記間隙領域（２０９）は、前記ゲート（２０２，２０３）の少なくとも一方の１つの側面に設けられた凹状領域（２０９）である、請求項１から１０のいずれか一項に記載のカラビナ。
【請求項１２】
前記間隙領域（２０９）は、前記ゲート（２０２，２０３）の少なくとも一方の１つの側面に設けられた小翼部（２１０）である、請求項１から１１のいずれか一項に記載のカラビナ。
【請求項１３】
前記第１のゲート（２０２）および前記第２のゲート（２０３）は、その頂部に、ロック位置を固定するための安全ボルト（２０５）および一体化されたばね（２０６）を有する、請求項１から１２のいずれか一項に記載のカラビナ。
【請求項１４】
前記第１のゲート（２０２）および前記第２のゲート（２０３）は、相互に接触する、請求項１から１３のいずれか一項に記載のカラビナ。
【請求項１５】
登山、建設、産業、海軍における、請求項１から１４のいずれか一項に記載のカラビナの使用。
【発明の詳細な説明】
【技術分野】
【０００１】
本発明は、カラビナおよびスナップフックなどの機械結合機構に関する。特に、本発明は、改良されたカラビナシステムに関する。
【背景技術】
【０００２】
カラビナまたは登山用カラビナまたは安全カラビナは、ロープ、スリング、および他の登山補助具を共に連結するために使用される機械デバイスである。カラビナは、本質的には、例えば登山者のボディハーネスを登山ロープに装着するためなどに使用されるスナップフックである。また、カラビナは、岩の中または上に配置されたアンカに対して登山ロープを連結するためにも使用される。
【０００３】
典型的なカラビナは、通常は熱処理されたアルミニウム合金である軽量の高強度材料からなる、手のひらサイズの長円形または楕円形または「Ｄ字型」のリングである。
【０００４】
カラビナは、スナップフックまたは解除可能クランプとも呼ばれるが、ある物体を別の物体へと解除可能に結合するための様々な用途において使用される。例えば、ロッククライマーは、垂直登攀時に保護デバイスに対してロープを解除可能に固定するために、１つまたは複数のカラビナを使用する場合がある。カラビナは、一般的には、開フレームと、内方開放ゲートまたは内方ロックとしての役割を果たすヒンジアームと、解除可能ゲート閉鎖機構とを備える。
【０００５】
このゲートまたはロックは、通常時は閉鎖された状態に留まるようにばね付勢される。
通常時は閉鎖される内方開放ゲートにより、登山補助具の挿入が容易となるが、不用意に外れることは回避しなければならない。物体は、ゲートを手動で押し開けた後に、カラビナから外される。
【０００６】
フレームおよびゲートは、１つまたは複数の物体を結合することが可能な連続内方領域を形成するように構成される。
【０００７】
ゲートまたはロックは、フレームに係合して、連続内方領域を形成する。
【０００８】
解除可能ゲート閉鎖機構は、ゲートがフレームに対して選択的に枢動されることにより、連続内方領域へのアイテムの追加または連続内方領域からのアイテムの取外しを容易にし得るように構成される。
【０００９】
ゲートは、指または手でフレームを保持しつつ、他の指でゲートを押すことにより、開位置に枢動される。
【００１０】
解除可能ゲート閉鎖機構は、同時に、閉構成に向かってフレームに対してゲートを付勢することにより、連続内方領域内におけるアイテムの機械結合を維持する。
【００１１】
多様なフレーム、ゲート、および付勢システムが、個々の用途に対して存在する。
【００１２】
最も使用されるゲートは、ワイヤゲートまたは回転ゲートまたは回転ヒンジである。
【００１３】
ワイヤゲートタイプのカラビナは、特定のゲート構造、付勢システム、およびゲートフレーム接続部を備える。ワイヤゲートカラビナは、カラビナシステムのゲート部分に対して実質的に細長いループ状剛性ワイヤ部材を使用する。
【００１４】
ワイヤゲートにおいては、ワイヤ部材ゲートの長手方向端部同士が、ゲートのばね／反発剛性により自動付勢機構が形成されるように、フレームに対して対向して結合される。
【００１５】
ゲートが、フレーム結合点を中心として選択的に枢動されることにより、ワイヤのねじり特性が、閉構成に向かってゲートを戻すように機械的に付勢する付勢力を自動的に生成する。
【００１６】
フレームは、ゲート接続領域を備え、このゲート接続領域は、ゲートのループが閉構成にある場合に延在して届くように構成されたフックを一般的に備える。
【００１７】
回転ゲートカラビナまたは回転ヒンジカラビナは、一般的には、ゲート内に収容された頑丈圧縮部を備える機構を介してフレームに対して結合されたヒンジを備える。このばねは、閉構成に向かってゲートを戻すように付勢する。
【００１８】
ゲートの開放端部には、ゲートが完全に閉じられた場合にカラビナフレーム中のフック付きノッチに係合する横方向ピンが組み込まれている。この構成により、ゲートは、カラビナに対してかかる荷重の一部を支持することが可能となる。その結果、カラビナは、ゲートが閉じられた場合には、著しくより強度の高いものとなる。
【００１９】
様々な特殊化されたカラビナ設計が、個々の機能性を最適化する特殊な機械的特徴を備えるように構成される。
【００２０】
上述のカラビナにおいて一般的に生じる問題は、例えば登山者の落下時などに外部力が加わった場合にロープがゲートに押し込まれることによる、ゲートの偶発的な開きである。これにより、ゲートの偶発的な開きが生じる恐れがあり、したがって重大事故が生じる恐れがある。ゲートが、瞬間的にであっても開く場合には、ロープまたは他の登山補助具が不用意に外れるという重大な危険性が常に存在する。
【００２１】
カラビナは、人間用の安全デバイスであるため、想定されるすべての誤作動の原因が、重大な、およびさらには致命的な事故を引き起こす恐れがある。
【００２２】
種々の技術的解決策が、かかる問題を回避するためにカラビナにおいて改良されてきた。
【００２３】
第１の公知のタイプの特殊化されたカラビナは、いわゆるスクリューカラビナである。スクリューカラビナにおいて、ゲートは、ヒンジまたは開放端部のいずれかの方向に向かってフレームの対応する結合部分上へと直接的に、ゲートの長さに沿って螺合され得る螺合可能部分と一体になっている。
【００２４】
ユーザは、一方の手でカラビナを保持しつつ、他方の手でゲートを螺合および螺脱させることによりゲートをロックまたは解除することが可能である。
【００２５】
スクリューカラビナは、カラビナの偶発的な開きの危険性を減少させるが、ロープによりカラビナが螺脱される可能性があるため、危険性が完全には解消されない。さらに、スクリューカラビナにおいては、ユーザは両手を使うことが必要となるが、多くの状況において、ユーザは、リスクを冒さずに同時に両手を安全に使用することはできない。登山者は、岩をしっかりと保持するために片手のみを使用し、片手でカラビナを使用することが必要となり得る。また、プロのユーザは、片手で１つのツールを有することも可能であり、したがって、片手のみでカラビナを使用することが可能である。
【００２６】
さらに、ねじ機構は、カラビナの重量を増大させ、泥、砂、および氷で詰まった状態になる恐れがある。
【００２７】
スクリューカラビナに対する可能な１つの代替として、ばねロックを備え、これによりゲートを回転付勢してフレームの対応する結合部分に係合させることにより、ゲートを自動的にロックするための、いわゆるツイストロックカラビナの使用も提案されてきた。
【００２８】
残念ながら、ロープ、ならびにさらにはボルトおよびハンガーが、ロックシステム内で詰まった状態になり得る、および／またはツイストゲートを不用意に回転させカラビナを開く恐れがあるため、これにより重大事故を引き起こされることが実証されている。
【００２９】
さらに、公知のカラビナはすべて、両手を用いて開くことが必要であり、開くために両手を必要とするカラビナは、上述の安全性の問題を依然として有する。
【発明の概要】
【発明が解決しようとする課題】
【００３０】
ロック機構が不用意に開く可能性に関連するすべての安全性の問題を回避させ、片手による安全なロック機構をもたらし、場合によっては軽量で、製造およびメンテナンスが容易で、詰まった状態になる恐れのないカラビナに対する需要が、市場に存在する。
【課題を解決するための手段】
【００３１】
本発明によれば、上述の問題は、請求項１に記載のカラビナにより解消される。
【図面の簡単な説明】
【００３２】
【図１】第１の完全閉構成にある、本発明の第１の実施形態によるカラビナの正面図である。
【図２】第２の部分的に内部閉構成にある、本発明の第１の実施形態によるカラビナの正面図である。
【図３】第３の部分的に外部閉構成にある、本発明の第１の実施形態によるカラビナの正面図である。
【図４】第４の完全開構成にある、本発明の第１の実施形態によるカラビナの正面図である。
【図５】本発明の第２の実施形態によるカラビナの正面図である。
【図６】本発明の第３の実施形態によるカラビナの正面図である。
【図７】本発明の第４の実施形態によるカラビナの正面図である。
【図８】本発明の第５の実施形態によるカラビナの正面図である。
【図９】閉構成にある、本発明の第６の実施形態によるカラビナの第１の側方図である。
【図１０】図９のカラビナの第２の側方図である。
【図１１】図９のカラビナの断面図である。
【図１２】図９のカラビナの斜視図である。
【発明を実施するための形態】
【００３３】
本発明における定義として、カラビナは、フレーム、少なくとも１つのゲート、およびフレームと少なくとも１つのゲートとの間に画定された内方領域を備える機械デバイスである。
【００３４】
図１〜図４を参照すると、本発明による第１の実施形態においては、第１の端部３および第１の端部３の対向側に位置し実質的に対面する第２の端部４を有するフレーム２と、第１の内部ゲート５と、第１の内部ゲート５に対して実質的に平行に延在する第２の外部ゲート６とを備えるカラビナが提供される。また、第２の外部ゲート６は、フレームおよびゲート５，６により画定された内方領域８に対して、第１の内部ゲート５の外側に位置する。
【００３５】
特に、カラビナ１は、内方領域８を部分的に囲み、第１の端部３および第２の端部４を有するフレーム２と、前記第１の端部３においてフレームに対して枢動自在に結合された第１のゲート５と、前記第１の端部３の対向側の前記第２の端部４において前記フレーム２に対して枢動自在に結合された第２のゲート６とを備える。前記フレーム、前記第１のゲート、および前記第２のゲートは、図１に図示するような閉構成においては連続的に囲まれた内方領域８を画定する。前記ゲートは、一方が前記内方領域に向かう第１の方向に、および他方が前記第１の方向とは逆の第２の方向に、各枢軸５ｈ，６ｈを中心として回転することにより、前記フレームに対して開かれるように構成される。付勢手段５ｂ，５ｃ，６ｂ，６ｃは、閉位置に前記ゲートを付勢するために設けられる。
【００３６】
詳細には、ゲート５、６はそれぞれ、第１の端部３および第２の端部４の一方に枢軸５ｄ，６ｄを有する。ゲート５，６は、一方は内方領域８に向かう第１の方向における、および一方は第１の方向とは逆の第２の方向における、各枢軸５ｄ、６ｄを中心とした回転との兼ね合いにより、フレーム２に対して開かれるように構成される。付勢手段５ｂ，５ｃ，６ｂ，６ｃは、これらのゲートを閉位置に維持するために設けられる。
【００３７】
２つのゲート５、６が、相互に逆方向に開かれる場合にのみ、カラビナは、安全なものとなり、それ以外の場合には、カラビナは、先行技術と同様の、および同一の問題を有するシングルゲートカラビナとして機能することになる。
【００３８】
両ゲートは、枢動領域を中心としてフレーム２に対して枢動されることにより、図４に示す完全開構成を形成することができる。
【００３９】
ゲート５，６は、指あるいは手でフレーム２を保持しつつ、他の１つまたは複数の指でゲート５，６を押すことにより、開位置に枢動される。
【００４０】
第１の内部ゲートおよび第２の外部ゲートの間には、ゲートを開くのを容易化するためにユーザの指の少なくとも一部分を受けるための間隙領域９が存在する。
【００４１】
図１の実施形態においては、間隙領域９は、貫通領域である。
【００４２】
また、間隙領域９は、ユーザの指とより良好に相互作用するように設計された種々の形状のワイヤにより構成することも可能である。
【００４３】
間隙領域９により、１つの指で外部ゲート６を開くために指を挿入して圧力をかけるのに十分な空間がゲート同士の間に存在するため、片手でカラビナを開くことが可能となる。十分な空間がなく、２つのゲートが相互に近い場合には、これらのゲートを開くことは困難になり、カラビナは適切には機能しない。
【００４４】
外部ゲートを開くことにより、第１のゲート５は、フレームに対して内方領域８に向かって枢動領域５ｄを中心として枢動して、図３に示すように第１の部分開構成を形成する。
【００４５】
この構成においては、内方領域８は、フレーム２および外部ゲート６により画定される一方で、内部ゲート５は、内方領域８に向かって延在する。
【００４６】
外部ゲート６は、枢動領域６ｄを中心として、内部領域８とは逆方向の外部領域に向かって、また、完全閉構成においてフレーム２および両ゲート５，６により画定される内方領域８の外側に向かって、枢動自在である。
【００４７】
「枢動自在」とは、２つの構成要素が、それらの間における枢動的な移動を容易にする態様で結合されることを意味する。例えば、ドアが、ドアフレームを中心とした枢動回転を容易にするように、ドアフレームに対して枢動自在に結合される。
【００４８】
外部ゲート６が枢動されて開き、内部ゲート５が閉じられると、カラビナ１は、図２に示される第２の部分的開構成となる。
【００４９】
ユーザは、一般的には、指でフレームを保持しつつ、間隙領域９に挿入した他の１つの指で外部ゲート６を開き、したがって、片手で操作する。同時に、ロープまたは別の安全物体が、内部ゲート６に対して別の指で押し込まれることにより、内方領域８内に挿入される。内部ゲートは、押されると、内方領域８に向かって自動的に開く。
【００５０】
好ましくは、２つのゲート５，６の形状は、ロープまたは別の安全物体の容易な挿入を可能にするようになされ、したがって、好ましくは、ゲート５，６は、一般的には丸みを帯び、角をつけられない。
【００５１】
外部ゲート６が枢動されて開き、内部ゲート５も開くと、カラビナ１は、図４に示す完全開構成になり、この位置において、ロープまたは別の安全物体は、カラビナ１内に容易に挿入され得る。
【００５２】
内部ゲート５および外部ゲート６は共に、ゲート付勢システム５ｂ，５ｃ，６ｂ，６ｃを備え、すなわち、構成要素システムは、ある特定の構成または付勢システムに向かってカラビナのゲートを付勢するように構成される。
【００５３】
第１のゲート５および第２のゲート６は共に、上記のゲート付勢システム５ｂ，５ｃ，６ｂ，６ｃまたは閉鎖機構システムにより、内方領域８がフレームおよびゲートによって閉じられた状態となるのに関連して連続状態となる閉構成に向かって付勢される。
【００５４】
「付勢される」とは、ゲートがある特定の構成に向かって付勢されることを意味し、すなわち、ゲートが、引っ張られて解除された場合に、ゲートが付勢構成に復帰することを意味する。
【００５５】
好ましくは、付勢システムは、ワイヤの一部分により構成される。
【００５６】
より好ましくは、付勢システムは、曲げ手段により構成される。
【００５７】
本発明のカラビナにおいては、内部ゲート５および外部ゲート６は、付勢されることにより回転してフレームの対応する結合部分に係合し、それによりゲートは、カラビナシステムのノーズとも呼ばれる場合があるフレームの対応するキー領域５ｅ，６ｅ内に自動的にロックされる。
【００５８】
図１に示す第１の好ましい実施形態においては、内部ゲート５および外部ゲート６は共に、これらのゲートが、２つの各端部５ｂ，５ｃおよび６ｂ，６ｃを備えるアーチ５ａ，６ａにより構成される点において、ワイヤタイプゲートと呼ばれる場合がある。
【００５９】
ワイヤという用語は、金属などの様々な成分と、円などの様々な断面形状とを広範に含み得る。内部ゲート５および外部ゲート６を形成するワイヤは、９０度超の曲線領域を含むある特定の長さ形状へと曲げられる。
【００６０】
図示する実施形態においては、ゲート付勢システムは、内部ゲート５および外部ゲート６の結合方式および組成に組み込まれる。内部ゲート５の２つの長さ方向端部５ｂ，５ｃおよび外部ゲート６の２つの長さ方向端部６ｂ，６ｃは、２つの独立したゲート装着点（図示せず）にてフレーム２に対して結合され、フレーム構造体２の長さ方向配向に対して相互に対向して配向される。長さ方向端部の間隔および対向配向と、ゲート５，６の全体形状との組合せにより、開構成へと選択的に枢動された場合にゲート５，６に対するねじり力が結果的に生じる。
【００６１】
ゲート５，６の固有のねじり剛性特性および／または組成特性により、反発力またはばね応答力が生成され、これにより、ゲートが閉構成へと付勢／枢動して戻される。１つまたは複数のばね機構を備えることを含むがそれらに限定されない、本発明による様々な代替的なゲート付勢システムを使用し得る点が、理解されよう。
【００６２】
フレーム２は、様々な材料、好ましくは金属、より好ましくは鋼またはアルミニウムで作製することが可能であり、一般的には長さ方向に湾曲したＣ字型構成で形状設定される。
【００６３】
フレーム２の形状および組成は、一般的には、重量および強度などの特定の要件に応じるように調節される。
【００６４】
開口７が、２つのゲートの枢動領域５ｄ，６ｄの間に位置する。また、２つのゲートの枢動領域５ｄ，６ｄは、腎臓形状またはＣ字型のフレーム２の２つの長さ方向端部に対応し、図１の実施形態においては間隙領域９に対応する。キー領域５ｅ，６ｅは、フック、すなわちフレーム２の内方領域８に実質的に向かって配向された構造部として適合される。
【００６５】
ゲートワイヤは、ゲート付勢システムに必要な特定のねじり剛性特性を有する金属材料からなる細長部材である。さらに、ワイヤゲート５，６は、閉構成においてキー領域５ｅ，６ｅにてフレーム２と解除可能に結合するようにある特定の長さ方向および横方向の構成にて形状設定され、すなわち、ワイヤゲート５，６は、閉構成において少なくとも１つの二次元平面内での解除可能結合を確保するようにフレーム２のフック上に選択的に配置されるように、具体的にキー設定／サイズ設定される。
【００６６】
ゲートワイヤ５，６は、それぞれフレーム２の個別の対応するゲート装着点５ｂ，６ｂに通されるため、結合部は、ゲート５，６の枢動に応答して自動ゲート付勢力を発生させるように動作する。
【００６７】
開口領域７は、２つのゲート５，６により加えられる２つの対向し合う力によって閉じられる。フレームの２つの対向し合うキー領域５ｅ，６ｅに対して加えられる対向し合う力により、カラビナ１の偶発的な開きが防止される。
【００６８】
図５〜図９には、本発明の代替的な実施形態が示される。
【００６９】
第２の実施形態においては、図５に示すようなカラビナ３１が提供され、第１の実施形態の２つのワイヤゲート５，６が、２つの回転ゲートまたはヒンジゲート３５，３６により置き換えられている。
【００７０】
カラビナ３１は、２つの対向する端部３３，３４を備えるフレーム３２を備える。
【００７１】
上述のように、回転ゲートまたはヒンジゲート３５，３６は、２つの対向し合う端部３３，３４にて付勢システム３７，３８を介してフレーム３２に対して結合された各枢軸３５ｈ，３６ｈを備える。フレーム３２および２つのゲート３５，３６は、２つのゲートが閉構成にある場合に内部領域３９を画定する。付勢システム３７，３８は、ゲート（内部ゲートであり、この図においては見えない）内に収容された頑丈な圧縮ばねを備える機構を備える。ワイヤゲートの上述の付勢システムと同様に、頑丈な圧縮ばねの付勢システムは、ゲート３５，３６を閉構成に向かって戻すように付勢する。
【００７２】
回転ゲートまたはヒンジゲート３５，３６の開放端部は、ゲートが完全に閉じられた場合にカラビナフレーム３２中のフックノッチに係合する横方向ピンを組み込む。この構成により、ゲートは、カラビナ３１に対してかかる荷重の一部を支持することが可能となる。その結果、カラビナは、両ゲートが閉じられた場合には、著しくより強度の高いものとなる。
【００７３】
第２の実施形態によれば、２つの回転ゲートまたはヒンジゲート３５，３６は、それぞれ異なり、内部ゲート３５は、曲線状であり、特に内部領域３９に向かって湾曲するため、空間により構成される内部領域４０は、第１の実施形態の内部領域９と同様に形成されて、ゲートを開くのを容易にするための指の挿入を可能にする。
【００７４】
代替例として、またはさらなる間隙領域として、ヒンジゲートは、一端部の対応部分により幅広のセクションを有するか、またはテーパ状を成すか、または一方の端部に小翼部をもしくは好ましくは長さ方向に沿った中央近辺に凹状領域を備えることが可能である。
【００７５】
また、ヒンジゲートは、１つ以上の間隙領域４０を有することが可能である。
【００７６】
また、第２の外部ゲート３６は、指用の間隙領域であるおよび指用の間隙領域として機能するだけでなく、ロープまたは安全物体の挿入をさらに容易化するようにも設計された、中央凹状領域３６ｒを備える。
【００７７】
使用時に、カラビナは、第１の実施形態のカラビナ１と同様に開閉され得る。
【００７８】
ユーザは、指でカラビナ３１を保持しつつ、間隙領域４０内に挿入された他の１つまたは複数の指で第１の外部ゲート３６を開く。続いて、ユーザは、内部ゲート３５に対してロープまたは安全デバイスを押し付ける。内部ゲート３５は、内方領域３９に向かって外部ゲート３６とは逆方向に開く。
【００７９】
第３の実施形態によれば、図６に示すようなカラビナ５１が提供され、第１の内部ゲート５５が、凹状回転ゲートまたは凹状ヒンジゲートであり、外部ゲート５６が、ワイヤゲート５６である。
【００８０】
図７または図８には、本発明の第４の実施形態および第５の実施形態が示され、フレーム７１，８１は、それぞれ異なる形状を有し、それぞれ、さらなる固定リング７７および回転可能リング８７を備えるフレームが、それぞれ腎臓形状フレームカラビナ７１，８１に関連付けられる。
【００８１】
図９においては、本発明の第６の実施形態が示され、カラビナまたはスナップフック２０１が、ダブルロックまたはダブルゲートを有し、フレーム２０１ｂを備える。
【００８２】
図１０に示すように、カラビナ２０１は、２つの端部２０１ａおよび２０１ｂを備える腎臓形状本体２０１により形成される。各端部において、内部ゲート２０２および外部ゲート２０３が、ヒンジ連結される。
【００８３】
カラビナの本体２０１は、大多数の通常のカラビナにおいて使用される軽量固体金属から作製される。カラビナの開放システムまたはロックは、内部ゲート２０２および外部ゲート２０３から形成され、図１０および図１１に示すように、両ラッチロックの本体同士は、相互に接触し、ロック位置または閉位置においてはそれらの本体の一方の側部に沿って接触状態となる。カラビナ２００の内部ゲート２０２内および外部ゲート２０３内に組み込まれたばね２０６が存在することにより、付勢が生じる。ロック位置におけるゲートの位置固定は、図９の断面に示されるように、両側の安全ボルト２０５によって形成される。それと同時に、およびさらなる利点として、両安全ボルト２０５は、スナップフックの強度をその主軸方向において強化する。
【００８４】
この実施形態によれば、ゲート２０２，２０３は、両ゲート２０２，２０３の一方の側面に設けられた間隙領域としての凹状領域２０９を備える。
【００８５】
凹状領域２０９により、指の挿入と、１つの指により凹状領域２０９に対して圧力を加えることによって指でゲートを開くこととが可能となる。
【００８６】
また、さらなるものとしてまたは代替として、ゲート２０２，２０３は、間隙領域として異なる形状を有してもよい。
【００８７】
図９〜図１１に示すように、ゲート２０２および２０３は、フレームに対して固定された端部の対向側の端部に小翼部２１０を備えてもよい。小翼部２１０は、ゲート２０２および２０３の輪郭部から突出し、指の挿入および指によるゲートの開放を容易化するために間隙領域を形成する。
【００８８】
図１１においては、ダブルゲート２０２，２０３の開位置を示す。カラビナ２００の内部ゲート２０２およびカラビナ２００の外部ゲート２０３の、カラビナ２００の本体との連結部は、両ロックのヒール内の２つの対向し合う回転ヒンジ２０４から形成される。人間の手の指による意図的な機械圧力により、ヒンジ中の両ロックが撓むことによって、カラビナのダブルゲート２０２，２０３が開かれて、内部ゲート２０２は、カラビナ２００本体の内方に開き、外部ゲート２０３は、カラビナ２００本体２０１の外方に開く。ロックに対する人の手による意図的な機械圧力の解除、またはロック同士の中間部からの物体（通常は登山ロープ）の除去により、内部ゲート２０２および外部ゲート２０３は共に、ゲート２０２，２０３に一体化されたばね２０６の圧力によってロック位置へと自動的におかれる。
【００８９】
本発明のカラビナは、特に、登山、建設、産業、および海軍における使用が示唆される。
【００９０】
本発明の種々の実施形態を、上述の実施形態による種々のカラビナを参照として上記で説明したが、本発明の教示は、他のゲートカラビナに対しても適用可能である点に留意されたい。
【図１】
2015511298.tif 000003
【図２】
2015511298.tif 000004
【図３】
2015511298.tif 000005
【図４】
2015511298.tif 000006
【図５】
2015511298.tif 000007
【図６】
2015511298.tif 000008
【図７】
2015511298.tif 000009
【図８】
2015511298.tif 000010
【図９】
2015511298.tif 000011
【図１０】
2015511298.tif 000012
【図１１】
2015511298.tif 000013
【図１２】
2015511298.tif 000014
【国際調査報告】
2015511298.tif 000015
2015511298.tif 000016